(57)【要約】【課題】２つの読取手段を備えた原稿両面の読み取りが可能な画像読取装置において、両面読み取りにのみ用いる読取手段には、両面読み取り時のみ原稿を搬送するようにした画像読取装置を提供することを目的とするものである。【解決手段】原稿の片面読取動作に使用する主搬送路に合流する副搬送路を設け、副搬送路にＣＩＳ５０、フィードローラ５２を配設する。主搬送路に搬送された原稿は途中で一旦停止され、切換ガイド５４が切換動作を行ってから逆方向に原稿が搬送されて副搬送路に搬入される。搬入された原稿は一旦上部カバー５６の両面用原稿トレイに入り、改めて搬送されて、ＣＩＳ５０により上面を読み取られ、ＣＣＤにより下面を読み取られて、両面読取動作が行われる。【選択図】　　　　図３
2004104451.tif 000002
【特許請求の範囲】
【請求項１】
主搬送路において原稿を搬送する主搬送手段と、前記主搬送路に配置されて前記原稿の一方の面を読み取る第１読取手段と、前記第１読取手段の上流側で前記主搬送路に合流する副搬送路において前記原稿を搬送する副搬送手段と、前記副搬送路に配置されて前記原稿の他方の面を読み取る第２読取手段と、前記原稿を前記主搬送手段により前記主搬送路に搬送して前記原稿の片面のみ前記第１読取手段により読み取る片面読取制御手段と、前記原稿を前記副搬送手段及び前記主搬送手段により前記副搬送路及び前記主搬送路に搬送して前記原稿の両面を前記第１及び第２読取手段により読み取る両面読取制御手段とを備えることを特徴とする画像読取装置。
【請求項２】
前記両面読取制御手段は、前記原稿を前記主搬送手段により前記主搬送路に搬送して前記副搬送路に搬入するように制御することを特徴とする請求項１に記載の画像読取装置。
【請求項３】
前記副搬送路には、両面用原稿トレイが配設されていることを特徴とする請求項１又は２に記載の画像読取装置。
【請求項４】
前記両面用原稿トレイは、上部カバーの内面に形成されており、前記上部カバーを開くことによりセットされることを特徴とする請求項３に記載の画像読取装置。
【請求項５】
前記上部カバーの開閉を検知する検知手段を設け、前記検知手段からの開状態の検知信号に応答して前記両面読取制御手段が作動することを特徴とする請求項４に記載の画像読取装置。
【請求項６】
前記上部カバーの開動作に連動して前記副搬送手段を前記主搬送手段に連結する駆動伝達手段を備えることを特徴とする請求項４又は５に記載の画像読取装置。
【発明の詳細な説明】
【０００１】
【発明の属する技術分野】
本発明は、複写機、ファクシミリ装置などの画像形成装置に適用可能な、原稿の両面を読取可能な画像読取装置に関する。
【０００２】
【従来の技術】
従来、自動原稿送り装置（ＡＤＦ）を備えた画像形成装置においては、搬送ベルトにより原稿を搬送してプラテンガラス上に位置決めし、プラテンガラスの下方をスキャナが移動して原稿を読み取るシート固定タイプと、プラテンガラスの下方にスキャナを停止させておき、原稿を一定速度でプラテンガラス上を搬送させながら原稿の読み取りを行うシートスルータイプが知られている。
【０００３】
原稿の両面を読み取る場合、シート固定タイプでは、一旦プラテンガラス上で原稿を停止させることから、両面を読み取るためには原稿を反転した後再度原稿を停止させることが必要であり、読取処理に時間がかかる欠点がある。シートスルータイプでは、例えば、特許文献１に記載されているように、読取手段を２つ用いて原稿が搬送される搬送経路の両側にそれぞれ配置して、原稿の表面及び裏面を１回の搬送で読み取ることが行われている。こうすることで、読取手段の数は増加するが、原稿の搬送は１回で済み、読取処理時間も短縮することができる。
【０００４】
こうした読取手段を２つ用いた従来の画像読取装置は、読取処理時間の短縮等のメリットはあるものの、原稿の搬送経路中において、読取手段とプラテンとの間の狭い間隔に設定される部分が２箇所に増加したことから、当然原稿搬送時のジャムの発生が増加するとともに、原稿を搬送する際に生じる紙粉等の汚れが２つの読取手段に付着することから、その清掃についても当然頻繁に行う必要が生じてくる。
【０００５】
こうした問題に対処するため、例えば、特許文献２では、原稿を読み取るイメージセンサの読取面に対向して配置された白色ガイドローラを回動することによって、画像補正が必要な時のみ白色基準面を読取面に対向させ、それ以外の原稿搬送時にはガイド面を対向させて白色基準面が汚れるのを防止する点が記載されている。
【０００６】
片面読取動作及び両面読取動作の頻度を考慮した場合、圧倒的に片面読取動作が多いため、片面読取に用いる第１読取手段と両面読取に用いる第２読取手段とでは、第２読取手段は使用頻度が低いにもかかわらず常時紙粉等の汚れが付着し、読取面が劣化していくことは避けられない。
【０００７】
【特許文献１】
特開平１−１９４６５８号公報
【特許文献２】
特開２００１−３１３７９４号公報
【０００８】
【発明が解決しようとする課題】
しかしながら、片面読取動作及び両面読取動作の頻度を考慮した場合、圧倒的に片面読取動作が多いため、上述した従来技術のように、片面読取に用いる第１読取手段と両面読取に用いる第２読取手段とを備えている場合では、第２読取手段は使用頻度が低いにもかかわらず常時紙粉等の汚れが付着し、読取面が劣化していくことは避けられない。
【０００９】
そこで、本発明は、２つの読取手段を備えた原稿両面の読み取りが可能な画像読取装置において、両面読み取りにのみ用いる読取手段には、両面読み取り時のみ原稿を搬送するようにした画像読取装置を提供することを目的とするものである。
【００１０】
【課題を解決するための手段】
本発明に係る画像読取装置は、主搬送路において原稿を搬送する主搬送手段と、前記主搬送路に配置されて前記原稿の一方の面を読み取る第１読取手段と、前記第１読取手段の上流側で前記主搬送路に合流する副搬送路において前記原稿を搬送する副搬送手段と、前記副搬送路に配置されて前記原稿の他方の面を読み取る第２読取手段と、前記原稿を前記主搬送手段により前記主搬送路に搬送して前記原稿の片面のみ前記第１読取手段により読み取る片面読取制御手段と、前記原稿を前記副搬送手段及び前記主搬送手段により前記副搬送路及び前記主搬送路に搬送して前記原稿の両面を前記第１及び第２読取手段により読み取る両面読取制御手段とを備えることを特徴とする。さらに、前記両面読取制御手段は、前記原稿を前記主搬送手段により前記主搬送路に搬送して前記副搬送路に搬入するように制御することを特徴とする。そして、前記副搬送路には、両面用原稿トレイが配設されていることを特徴とする。さらに、前記両面用原稿トレイは、上部カバーの内面に形成されており、前記上部カバーを開くことによりセットされることを特徴とする。さらに、上部カバーの開閉を検知する検知手段を設け、前記検知手段からの開状態の検知信号に応答して前記両面読取制御手段が作動することを特徴とする。さらに、前記上部カバーの開動作に連動して前記副搬送手段を前記主搬送手段に連結する駆動伝達手段を備えることを特徴とする。
【００１１】
上記のような構成を有することで、第２読取手段は副搬送路に配置され、片面読取制御手段が作動する間は原稿は副搬送路を通過しないため、第２読取手段は片面読取時に読取面が汚れることはない。また、副搬送路は第１読取手段の上流側で主搬送路と合流するようにされているため、一度の原稿搬送で原稿の両面を読み取ることができ、従来とほぼ同様の読取処理時間を維持することが可能となる。
【００１２】
また、両面読取時に、前記原稿を前記主搬送手段により前記主搬送路に搬送して前記副搬送路に搬入するように制御すれば、片面読取動作時と同じ原稿トレイから主搬送手段により搬送することができる。
【００１３】
また、副搬送路に両面用原稿トレイを配設することで、一旦副搬送路に搬入された原稿を安定して保持することができ、両面原稿読取時の搬送動作を確実に行うことが可能となる。そして、両面用原稿トレイを上部カバーの内面に形成すれば、両面読取動作を行う時以外は上部カバーが閉じられて両面用原稿トレイが収納された状態となり、コンパクト化することができる。さらに、上部カバーが開くことを検知手段により検知して両面読取手段を作動させるようにすれば、両面読み取りを行う上での操作を簡略化することが可能となる。また、上部カバーの開動作に連動して副搬送手段を主搬送手段に連結するようにすれば、副搬送手段の駆動源を別途備える必要はなくなり、搬送手段の機構をコンパクト化できる。
【００１４】
【発明の実施の形態】
以下、本発明に係る実施形態について詳しく説明する。図１は、本発明に係る画像読取装置が適用可能な画像形成装置全体の概略断面図である。画像形成装置の上部には原稿搬送部１及び原稿を読み取る原稿読取部２が配置され、その下部に画像を記録する記録部３、画像を記録する用紙を搬送する用紙搬送部４及び２つの給紙部５、６が配されている。
【００１５】
原稿搬送部１では、原稿トレイ１０、ピックアップローラ１１、セパレートローラ１２及びリタードローラ１３により原稿が搬入される。すなわち、原稿トレイ１０に載置された原稿がピックアップローラ１１により引き込まれ、セパレートローラ１２及びリタードローラ１３の間に原稿の先端が挟持される。セパレートローラ１２は時計回りに回転して原稿を引き込むように動作するが、リタードローラ１３も時計回りに回転して原稿を引き込まないように動作するため、原稿の二重送りが防止されて原稿が１枚ずつ搬入される。次に、原稿は、フィードローラ１４及びプレスローラ１５に挟持されて搬送され、ガイドに沿ってフィードローラ１６及びプレスローラ１７の間に原稿の先端が到達する。ここで、原稿検知センサにより原稿の先端が検知されると、フィードローラ１６が搬送を開始し、フィードローラ１８及びプレスローラ１９の間に原稿の先端が挟持されて一定速度で原稿は搬送される。その間にプラテン２３において原稿読取部２により原稿が読み取られる。こうして搬送されて読み取られた原稿は、排出ローラ２０及びプレスローラ２１の間に搬送されて原稿排出トレイ２２に搬出される。
【００１６】
原稿読取部２では、ランプ２４によりプラテン２３に向けて光を照射して原稿からの反射光をミラーでＣＣＤ２５に導き電気信号に変換される。
【００１７】
記録部３では、用紙搬送部４により搬送された用紙に記録するために、トナー容器２６、帯電ブラシ２９、感光体ドラム３０、転写ローラ３１、露光ヘッド３２及び定着ローラ３３が備えられている。まず、感光体ドラム３０の表面を帯電ブラシ２９により一様に帯電させ、帯電された感光体ドラム３０に露光ヘッド３２で画像記録信号に応じて露光することで静電潜像を形成する。次に、トナー容器２６内のトナーを供給ローラ２７から現像ローラ２８を介して感光体ドラム３０に形成された静電潜像に転移させて可視像化し、転写ローラ３１により感光体ドラム３０表面に形成されたトナー像を用紙に転写する。そして、転写されたトナー像は、定着ローラ３３及びプレスローラ３４によって挟持されて加熱・プレスされ用紙に定着される。
【００１８】
用紙搬送部４では、各給紙部５及び６の給紙カセット４３内に積載された用紙がピックアップローラ３５によって引き込まれ、フィードローラ３６及びプレスローラ３７の間に挟持されて搬送される。搬送された用紙は用紙ガイドに沿って搬送され、フィードローラ３８及びプレスローラ３９の間に挟持されて記録部３に搬送される。記録部３に搬送された用紙は、上述したように転写ローラ３１及び感光体ドラム３２の間を搬送されてトナー像が転写され、定着ローラ３３及びプレスローラ３４の間に挟持されてトナー像が定着されて、排出ローラ４０及びプレスローラ４１の間に挟持されて用紙排出トレイ４２に搬出される。
【００１９】
図２は、上述した画像形成装置に本発明を適用した場合の原稿搬送部１の例である。原稿搬送路において、原稿読取部２の上流側に配置されたフィードローラ１６の近傍には、切換ガイド５４が設けられている。切換ガイド５４は、後述するように、原稿の片面読取制御及び両面読取制御を行う際に上下方向に回転して搬送される原稿を案内する。切換ガイド５４に隣接してＣＩＳ５０及びそれに対向して白色ローラ５１が配設されている。そして、フィードローラ５２及びプレスローラ５３がＣＩＳ５０及び白色ローラ５１に並列して配設されている。この例では、ＣＩＳ５０に対向する白色ローラを用いたが、白色プレートを用いてもよい。また、切換ガイド５４の代わりに、可撓性の弾性片、例えばフィルム等で一方の搬送路を塞ぐようにしてもよい。そして、このフィルムを主搬送路の一部をなすようにすることで、主搬送路を搬送される原稿のガイドを兼ねることもできる。
【００２０】
原稿搬送部１の上部を覆うように装置カバーが設けられており、その一部が両面用原稿トレイを内面に形成した上部カバー５６とされており、両面用原稿トレイは、ガイド５７及び５８からなり、両者はほぼ等間隔で取り付けられている。上部カバー５６は、フィードローラ５２と同軸の回転軸を有するヒンジ５９に取り付けられ、回転可能となっている。原稿検知センサ６０は、フィードローラ１６とプラテン２３との間に設置されており、もう１つの原稿検知センサ６１は、白色ローラ５１とフィードローラ５２との間に設置されている。
【００２１】
原稿の片面読取動作を行う場合には、図２に示すように、上部カバー５６は、装置カバー内に収容されて閉じた状態にする。したがって、両面用原稿トレイを構成するガイド５７及び５８は装置内部に収納される。片面読取動作モードでは、切換ガイド５４は、下方向に回転して図示される位置にセットされる。原稿トレイ１０に載置された原稿は、まず、セパレートローラ１２及びリタードローラ１３により矢印（Ａ）に示す方向に引き込まれて、フィードローラ１４及びプレスローラ１５に挟持されて搬送される。原稿は、上述したようにフィードローラ１６及びプレスローラ１７に挟持されて矢印（Ｂ）に示す方向に搬送され、原稿の下面がＣＣＤ２５により読み取られる。そして、排出ローラ２０及びプレスローラ２１の間に搬送されて矢印（Ｃ）に示すように原稿排出トレイ２２に搬出される。以上のように、片面読取動作時には、ＣＩＳ５０には原稿が通過しないので、ＣＩＳ５０に紙粉等の汚れが付着することはない。
【００２２】
原稿の両面読取動作を行う場合には、図３に示すように、上部カバー５６を開けた状態にすると、フィードローラ５２及びプレスローラ５３のニップ部分に対応するようにガイド５７及び５８がセットされる。上部カバー５６が開いた状態になったことは、例えば光学検知センサ等の検知手段により検知して、自動的に両面読取動作モードに切り換えればよい。そして、両面読取動作モードに切り換わると、切換ガイド５４は、下方向に回転して図の点線で示す位置にセットされる。原稿トレイ１０に載置された原稿は、片面読取のときと同様に、セパレートローラ１２及びリタードローラ１３により矢印（Ｄ）に示す方向に引き込まれて、フィードローラ１４及びプレスローラ１５に挟持されて搬送され、フィードローラ１６及びプレスローラ１７に挟持されて矢印（Ｅ）に示す方向に搬送される。そして、原稿の後端が原稿検知センサ６０によって検知されると、一旦搬送動作を停止する。次に、切換ガイド５４を上方に回転して図の実線で示す位置にセットする。そして、フィードローラ１６及び１８駆動制御して原稿を矢印（Ｆ）に示すように逆方向に搬送すると、切換ガイド５４に沿って原稿はＣＩＳ５９及び白色ローラの間を通り、フィードローラ５２及びプレスローラ５３に挟持されて矢印（Ｇ）に示すように両面用原稿トレイであるガイド５７及び５８の間に搬入される。そして、原稿検知センサ６１が原稿の後端を検知すると、搬送動作を停止する。
【００２３】
そして、図４に示すように、フィードローラ５２を駆動して両面用原稿トレイ内に搬入された原稿を矢印（Ｈ）に示す方向に搬送して、原稿の上面をＣＩＳ５０により読み取る。読み取られた原稿は、切換ガイド５４に沿ってフィードローラ１６及びプレスローラ１７の間に搬送されて、矢印（Ｉ）に示す方向に搬送されながら、原稿の下面がＣＣＤ２５により読み取られる。そして、排出ローラ２０及びプレスローラ２１の間に搬送されて矢印（Ｊ）に示すように原稿排出トレイ２２に搬出される。こうして一度の搬送動作により原稿の両面が同時に読み取られる。
【００２４】
図５には、フィードローラ５２への駆動伝達機構の一例を示している。図５（ａ）は、片面読取動作モードの状態図で、図５（ｂ）及び（ｃ）は、両面読取動作モードの状態図を示している。フィードローラ１６の回転軸には、駆動ギア７０が固定されており、駆動ギア７０には、アイドルギア７１が噛み合っており、アイドルギア７１には、その回転軸に回動自在に取り付けられた支持部材７５にアイドルギア７２、７３が軸支され、アイドルギア７１と噛み合っている。支持部材７５は、図示されていないバネ等の付勢手段によってアイドルギア７１の回転軸を中心に時計回りに回転するよう付勢されている。
【００２５】
一方、フィードローラ５２の回転軸には、駆動ギア７４が固定されている。また、上部カバー５６の開閉動作に連動してフィードローラ５２の回転軸を中心に回動する係止部材７６が設けられている。
【００２６】
図５（ａ）に示すように、片面読取動作モードの場合には、係止部材７６がフィードローラ１６の方に回転して支持部材７５を係止する。係止部材７６によって係止されることで、支持部材７５に取り付けられたアイドルギア７２、７３は、駆動ギア７４から離間された位置に留まっている。したがって、フィードローラ１６の駆動力は、フィードローラ５２には伝達されない。そして、図５（ｃ）に示すように、両面読取動作モードで、上部カバー５６が開いた状態になると、係止部材７６が反時計回りに回転して支持部材７５との係止状態が解除される。そうすると、支持部材７５は、上述した付勢手段により時計回りに回転してアイドルギア７３が駆動ギア７４と噛み合うようになり、フィードローラ１６の駆動力は、上述したギア群を介してフィードローラ５２に伝達されて回転し、原稿の搬送動作が行われる。
【００２７】
図３に示すように、原稿を矢印（Ｆ）から（Ｇ）へ搬送するときは、フィードローラ１６が時計回りに回転するので駆動ギア７０は時計回りに回転し、アイドルギア７１は反時計回りに回転する。そのため、図５（ｂ）に示すように、アイドルギア７２はアイドルギア７１を周回して移動し、駆動ギア７４と噛み合うようになる。こうして、駆動ギア７４に駆動力が伝達されてフィードローラ５２は反時計回りに回転する。また、図４に示すように、原稿を矢印（Ｈ）から（Ｉ）へ搬送するときは、フィードローラ１６は反時計回りに回転するので駆動ギア７０は反時計回りに回転し、アイドルギア７１は、時計回りに回転する。そして、図５（ｃ）に示すように、アイドルギア７３が駆動ギア７４に噛み合った状態で駆動力が伝達されて、フィードローラ５２は時計回りに回転する。
【００２８】
図６は、画像形成装置全体の制御に関するブロック構成の概略を示している。原稿搬送部１及び原稿読取部２では、原稿セットセンサ８０、原稿検知センサ６０、原稿検知センサ６１、上部カバーセンサ８３からの検知信号は、ＡＤＦバス及び本体バスを介してＣＰＵ８４に送信される。ＣＰＵ８４では、ＲＯＭ８５に記憶されたプログラム又はＣＯＤＥＣ８９を用いて演算処理が行われ、必要に応じてＳＲＡＭ８６及びＤＲＡＭ８７にデータが一時記憶される。ＣＰＵ８４からの制御信号は、本体バス及びＡＤＦバスを介して搬送モータ８０、搬送クラッチ８１、第１読取手段（ＣＣＤ）２５及び第２読取手段（ＣＩＳ）５０にそれぞれ出力される。また、画像形成に必要な画像信号やそのための制御信号が記録部３に出力される。操作部８８では、操作者によって指定されたデータが入力されたり、アラームやメッセージ等が表示される。
【００２９】
こうした構成で、原稿の片面読取動作及び両面読取動作を行う場合の一例を、図７に示したフローを用いて説明する。
【００３０】
まず、上部カバー５６の開閉が検知され（Ｓ１００）、閉じた状態が上部カバーセンサ８３により検知されると、片面読取モードに移行し、開いた状態が検知されると、両面読取モードに移行する。片面読取モードでは、原稿セットセンサ８２が原稿トレイ１０に原稿がセットされたことを検知すると（Ｓ１０１）、搬送クラッチ８１がＯＮして搬送モータ８０が始動する（Ｓ１０２）。原稿の搬送が開始されて、原稿検知センサ６０が原稿の先端を検知してＯＮとなると（Ｓ１０３）、ＣＣＤ２５が読取動作を開始し（Ｓ１０４）する。そして、原稿が搬送され片面が読み取られて原稿検知センサ６０が原稿の後端を検知してＯＦＦとなると（Ｓ１０５）、ＣＣＤ２５は読取動作を終了する（Ｓ１０６）。
【００３１】
一方、両面読取モードでは、原稿セットセンサ８２が原稿トレイ１０に原稿がセットされたことを検知すると（Ｓ１１０）、搬送クラッチ８１がＯＮして搬送モータ８０が始動する（Ｓ１１１）。原稿の搬送が開始されて、原稿検知センサ６０が原稿を検知した後原稿の後端を検知してＯＦＦとなると、搬送を一旦停止する（Ｓ１１２）。そして、切換ガイド５４の切換動作が行われ、逆方向に搬送されて副搬送路に原稿が搬入される（Ｓ１１３）。原稿検知センサ６１が原稿を検知した後原稿の後端を検知してＯＦＦになると、一旦逆搬送を停止する（Ｓ１１４）。所定時間経過後再び搬送が開始され（Ｓ１１５）、原稿検知センサ６１が原稿の先端を検知してＯＮになると（Ｓ１１６）、ＣＩＳ５０の読取動作が開始される（Ｓ１１７）。さらに原稿が搬送されて、原稿検知センサ６０が原稿の先端を検知してＯＮになると（Ｓ１１８）、ＣＣＤ２５の読取動作が開始される（Ｓ１１９）。さらに原稿が搬送されて、原稿検知センサ６０が原稿の後端を検知してＯＦＦになると（Ｓ１２２）、ＣＣＤ２５の読取動作が終了する（Ｓ１２３）。そのまま原稿は、主搬送路に搬送されて、原稿排出トレイ２２に排出されたことが検知されると、搬送クラッチ８１がＯＦＦとなり、搬送モータ８０は停止する。
【００３２】
図７では、両面読取動作時に、原稿を搬送した後逆方向に搬送し副搬送路に搬入してから両面読取を行っているが、最初に原稿を搬送した時にＣＣＤ２５によりまず原稿の一方の面を読み取り、その後逆方向に搬送し副搬送路に原稿を搬入して他方の面をＣＩＳ５０により読み取るようにしてもよい。このように両面読取動作制御することで、ＣＣＤ２５での読取動作とＣＩＳ５０での読取動作が重複することがなく、画像処理が簡素化できメモリ容量も抑えることができる。その例を図８に示す。
【００３３】
図８では、片面読取モード（Ｓ１００〜Ｓ１０６）は図７と同様であるから、説明を省略する。両面読取モードでは、原稿セットセンサ８２が原稿トレイ１０に原稿がセットされたことを検知すると（Ｓ２１０）、搬送クラッチ８１がＯＮして搬送モータ８０が始動する（Ｓ２１１）。原稿の搬送が開始されて、原稿検知センサ６０が原稿の先端を検知してＯＮになると（Ｓ２１２）、ＣＣＤ２５の読取動作が開始される（Ｓ２１３）。そして、原稿検知センサ６０が原稿の後端を検知してＯＦＦになると、搬送を一旦停止して（Ｓ２１４）、ＣＣＤ２５の読取動作を終了する（Ｓ２１５）。その後切換ガイド５４の切換動作が行われ、逆方向に搬送されて副搬送路に原稿が搬入される（Ｓ２１６）。原稿検知センサ６１が原稿を検知した後原稿の後端を検知してＯＦＦになると、一旦逆搬送を停止する（Ｓ２１７）。所定時間経過後再び搬送が開始され（Ｓ２１８）、原稿検知センサ６１が原稿の先端を検知してＯＮになると（Ｓ２１９）、ＣＩＳ５０の読取動作が開始される（Ｓ２２０）。そして、原稿検知センサ６１が原稿の後端を検知してＯＦＦになると（Ｓ２２１）、ＣＩＳ５０の読取動作が終了する（Ｓ２２２）。そのまま原稿は、主搬送路に搬送されて、原稿排出トレイ２２に排出されたことが検知されると、搬送クラッチ８１がＯＦＦとなり、搬送モータ８０は停止する。
【００３４】
以上説明した実施形態では、片面読取動作時及び両面読取動作時のいずれも原稿トレイ１０に原稿をセットしているが、両面読取動作時に両面用原稿トレイに直接原稿をセットしてもよい。こうすることで、両面読取動作にかかる時間をさらに短縮することができる。
【００３５】
また、上記実施形態では、両面用原稿トレイは、上部カバー５６の内面に形成しているが、装置本体に引き出し自在に取り付けて、両面読取動作時に引き出すようにしてもよい。
【００３６】
【発明の効果】
以上に説明したとおり、本発明では、第２読取手段は副搬送路に配置され、片面読取制御手段が作動する間は原稿は副搬送路を通過しないため、第２読取手段は片面読取時に読取面が汚れることはない。また、副搬送路は第１読取手段の上流側で主搬送路と合流するようにされているため、一度の原稿搬送で原稿の両面を読み取ることができ、従来とほぼ同様の読取処理時間を維持することが可能となる。
【００３７】
また、両面読取時に、前記原稿を前記主搬送手段により前記主搬送路に搬送して前記副搬送路に搬入するように制御すれば、片面読取動作時と同じ原稿トレイから主搬送手段により搬送することができる。
【００３８】
また、副搬送路に両面用原稿トレイを配設することで、一旦副搬送路に搬入された原稿を安定して保持することができ、両面原稿読取時の搬送動作を確実に行うことが可能となる。そして、両面用原稿トレイを上部カバーの内面に形成すれば、両面読取動作を行う時以外は上部カバーが閉じられて両面用原稿トレイが収納された状態となり、コンパクト化することができる。さらに、上部カバーが開くことを検知手段により検知して両面読取手段を作動させるようにすれば、両面読み取りを行う上での操作を簡略化することが可能となる。また、上部カバーの開動作に連動して副搬送手段を主搬送手段に連結するようにすれば、副搬送手段の駆動源を別途備える必要はなくなり、搬送手段の機構をコンパクト化できる。
【図面の簡単な説明】
【図１】本発明に係る実施形態を適用可能な画像形成装置全体の概略断面図である。
【図２】本発明に係る実施形態の概略断面図である。
【図３】本発明に係る実施形態の上部カバーを開いたときの概略断面図である。
【図４】図４における動作説明図である。
【図５】搬送ローラの駆動伝達機構の概略図である。
【図６】本発明に係る実施形態を適用した画像形成装置の制御に関するブロック構成図である。
【図７】本発明に係る実施形態の原稿搬送時のフロー図である。
【図８】本発明に係る実施形態の原稿搬送時の別のフロー図である。
【符号の説明】
１　　原稿搬送部
２　　原稿読取部
３　　記録部
４　　用紙搬送部
５　　給紙部
６　　給紙部
１１　　ピックアップローラ
１２　　フィードローラ
１３　　リタードローラ
１４　　フィードローラ
１５　　プレスローラ
１６　　フィードローラ
１７　　プレスローラ
１８　　フィードローラ
１９　　プレスローラ
２０　　排出ローラ
２１　　プレスローラ
２３　　プラテン
２４　　ランプ
２５　　ＣＣＤ
５０　　ＣＩＳ
５１　　白色ローラ
５２　　フィードローラ
５３　　プレスローラ
５４　　切換ガイド
５６　　上部カバー
５７　　ガイド
５８　　ガイド
５９　　ヒンジ
６０　　原稿検知センサ
６１　　原稿検知センサ
７０　　駆動ギア
７１　　アイドルギア
７２　　アイドルギア
７３　　アイドルギア
７４　　駆動ギア
７５　　支持部材
７６　　係止部材
【図１】
2004104451.tif 000003
【図２】
2004104451.tif 000004
【図３】
2004104451.tif 000005
【図４】
2004104451.tif 000006
【図５】
2004104451.tif 000007
【図６】
2004104451.tif 000008
【図７】
2004104451.tif 000009
【図８】
2004104451.tif 000010